(57)【要約】【課題】不必要な光を照射されることを抑制することができる光照射装置を提供することを目的とする。【解決手段】導光体１３内部に光を入射させ、導光体１３表面に接触した患部に対して導光体１３内部に入射した光を供給させる光照射装置１であって、光を導光する材質で構成された導光体１３と、光を出力し、導光体１３内部に光を入射させる光源１４と、導光体１３内部に入射した光のうち、導光体１３外部に出射した光の少なくとも一部の光の光量を検出する検出部１５と、検出部１５の検出結果に基づき導光体１３の表面状態を判定する判定部２１と、判定部２１の判定結果に基づき所定の処理を行う制御部２４とを備えた光照射装置。【選択図】図４
2014200344.tif 000002
【特許請求の範囲】
【請求項１】
導光体内部に光を入射させ、前記導光体表面に接触した患部に対して前記導光体内部に入射した光を供給させる光照射装置であって、
前記光を導光する材質で構成された導光体と、
前記光を出力し、前記導光体内部に前記光を入射させる光源と、
前記導光体内部に入射した光のうち、前記導光体外部に出射した光の少なくとも一部の光の光量を検出する検出部と、
前記検出部の検出結果に基づき前記導光体の表面状態を判定する判定部と、
前記判定部の判定結果に基づき所定の処理を行う制御部とを備えた光照射装置。
【請求項２】
視覚的或いは聴覚的に認識可能な報知手段を備え、
前記判定部は、前記導光体の表面状態として前記導光体の劣化状態を判定し、
前記制御部は、前記判定部において前記導光体が劣化していると判定された場合、前記報知手段に対して前記導光体が劣化していることを示す報知を行わせる制御を行う、請求項１に記載の光照射装置。
【請求項３】
第１の波長帯域の光を出力する第１の光源と、前記第１の波長帯域とは異なる第２の波長帯域の光を出力する第２の光源とを備え、
前記検出部は、前記導光体内部に入射された前記第１の光源から出力された光のうち、前記導光体外部に出射した光の少なくとも一部の光量を検出する、請求項２に記載の光照射装置。
【請求項４】
前記判定部は、前記導光体の表面状態として前記導光体表面に患部が接触したか否かを判定し、
前記制御部は、前記判定部において前記導光体表面に患部が接触していないと判定された場合、前記光源からの光の出力を停止させる、或いは出力を減少させる制御を行う、請求項１に記載の光照射装置。
【請求項５】
前記制御部は、前記判定部において前記導光体表面に患部が接触していないと判定された際に前記光源からの光の出力を停止させる制御を行った場合、その停止後に前記光源から所定の間隔の光を出力させる制御を行う、請求項４に記載の光照射装置。
【請求項６】
前記検出部は、前記導光体内部に入射した前記光源からの所定の間隔の光のうち、前記導光体外部に出射した光の少なくとも一部の光量を検出し、
前記判定部は、前記検出部の検出結果に基づき前記導光体表面に患部が接触したか否かを判定する、請求項５に記載の光照射装置。
【請求項７】
前記判定部が、前記検出結果が前記導光体表面に患部が接触していると判定した場合、
前記制御部は、前記光源に対して前記光源から出力される光を停止させる制御がされる前の出力で光を出力させる制御を行う、請求項６に記載の光照射装置。
【請求項８】
第１の波長帯域の光を出力する第１の光源と、前記第１の波長帯域とは異なる第２の波長帯域の光を出力する第２の光源とを備え、
前記検出部は、前記導光体内部に入射された前記第１の光源から出力された光のうち、前記導光体外部に出射した光の少なくとも一部の光量を検出し、
前記制御部は、前記判定部において前記導光体表面に患部が接触していないと判定した場合、前記第２の光源からの光の出力を停止させる、或いは出力を減少させる制御を行う、請求項４〜７のいずれか一つに記載の光照射装置。
【請求項９】
前記判定部は、予め所定の閾値を有し、前記閾値により前記導光体の表面状態を判定する、請求項１〜８のいずれか一つに記載の光照射装置。
【請求項１０】
前記閾値は、前記導光体が劣化していない状態において、前記検出部が検出する光量よりも低い値で設定された値である、請求項９に記載の光照射装置。
【発明の詳細な説明】
【技術分野】
【０００１】
本発明は、光照射装置に関するものである。
【背景技術】
【０００２】
光照射装置は、例えば治療光として赤外光を用い、筋肉・関節の慢性非感染性炎症による疼痛の緩解や関節リウマチを発症した関節の治療に用いられる。
【０００３】
光照射装置は、治療の種類によっては出力が大きい光を用いる場合もあり、その光が眼に照射されることは好ましくない。また、治療光の波長によっても治療する患部以外の箇所に光が照射されることが好ましくない場合がある（例えば紫外光や青色光等。）。
そのため、治療光が患部以外の箇所に照射されることを抑制する光照射装置が提案されている（例えば特許文献１）。特許文献１に開示された光照射装置は、治療光として青色光を内部に入射させた導光体表面に患部を接触させ、導光体表面のうち患部を接触させた部分に青色光を供給する一方、患部が接触していない部分については導光体外部へ青色光が出射することを抑制する構成である。これにより、導光体外部へ不要な治療光の出射を抑制することができるため、眼等の患部以外の箇所に不要な治療光の照射を抑制している。また、特許文献１に開示された光照射装置では、導光体内部に青色光に加え赤色光を少し混ぜ、漏れ出した赤色光を眼で視認することで、使用者が導光体やその表面処理の劣化等を認識することができる構成を開示している。
【先行技術文献】
【特許文献】
【０００４】
【特許文献１】特開２００９−９５５４９号公報
【発明の概要】
【発明が解決しようとする課題】
【０００５】
しかしながら、特許文献１に係る構成は、導光体表面に患部が接触されていない部分からも少なからず導光体内部の光が漏れでてしまうため、治療を行う場合や導光体の劣化を眼で確認する場合等、依然として患部以外の箇所に不必要な光が照射されるという課題を有していた。
【０００６】
本発明は、前記従来の課題を解決するためのものであって、患者等の使用者に不必要な光を照射されることを抑制することができる光照射装置を提供することを目的とする。
【課題を解決するための手段】
【０００７】
そしてこの目的を達成するために本発明の光照射装置は、導光体内部に光を入射させ、前記導光体表面に接触した患部に対して前記導光体内部に入射した光を供給させる光照射装置であって、前記光を導光する材質で構成された導光体と、前記光を出力し、前記導光体内部に前記光を入射させる光源と、前記導光体内部に入射した光のうち、前記導光体外部に出射した光の少なくとも一部の光の光量を検出する検出部と、前記検出部の検出結果に基づき前記導光体の表面状態を判定する判定部と、前記判定部の判定結果に基づき所定の処理を行う制御部とを備えた構成とした。
【発明の効果】
【０００８】
本発明の光照射装置によれば、上記構成とすることで使用者に不必要な光を照射することを抑制することができる。
【図面の簡単な説明】
【０００９】
【図１】本発明の実施の形態１における光照射装置の（ａ）正面外観図及び（ｂ）側面外観図
【図２】本発明の実施の形態１における光照射装置の導光体の（ａ）側断面図及び（ｂ）下面図
【図３】本発明の実施の形態１における光照射装置の使用状態を示す図
【図４】本発明の実施の形態１における光照射装置の機能ブロック図
【図５】本発明の実施の形態１における光照射装置の動作フロー図
【図６】本発明の実施の形態１における光照射装置の導光体内部の光の進路を示す図
【図７】本発明の実施の形態１における光照射装置の導光体の劣化判定を説明する補助図
【図８】本発明の実施の形態２における光照射装置の動作フロー図
【発明を実施するための形態】
【００１０】
≪発明を実施するための形態に至った経緯について≫
本発明者は、特許文献１に開示された光照射装置を詳細に検討した。その結果、導光体表面に患部が接触されていない部分からも少なからず導光体内部の光が漏れでしまうことが分かった。
【００１１】
具体的に説明すると、導光体内部に入射した光が導光体と外部（例えば空気）との界面に到達した場合、導光体と外部との界面で形成される臨界角のうち、その臨界角より小さい入射角度でその界面に到達した光は、導光体内部で反射されることなく外部に出射される。そのため、治療を行う場合や導光体の劣化を眼で確認する場合等において、この漏れ出した光が、患部以外の箇所に照射されてしまうことが分かった。
【００１２】
そこで本発明者らは、治療を行う場合や導光体の劣化を検知する場合等において、この漏れ出した光の患部以外の箇所への不要な照射を抑制できる構成について鋭意検討した結果、本発明の実施の形態の一態様に係る光照射装置を想到するに至った。
【００１３】
≪本発明を実施するための形態の概要≫
本発明を実施するための形態の一態様である光照射装置は、導光体内部に光を入射させ、前記導光体表面に接触した患部に対して前記導光体内部に入射した光を供給させる光照射装置であって、前記光を導光する材質で構成された導光体と、前記光を出力し、前記導光体内部に前記光を入射させる光源と、前記導光体内部に入射した光のうち、前記導光体外部に出射した光の少なくとも一部の光の光量を検出する検出部と、前記検出部の検出結果に基づき前記導光体の表面状態を判定する判定部と、前記判定部の判定結果に基づき所定の処理を行う制御部とを備えた構成としたことを特徴とする。
【００１４】
ここでいう判定部が判定する「導光体の表面状態」とは、導光体の表面の劣化状態のことを指し、判定部が、導光体表面が劣化しているか否かを判定するものである。なお、ここでいう「劣化」とは、導光体そのものが傷等により劣化している状態に加え、皮脂等により導光体が汚れている状態も意味する。
【００１５】
また、判定部が判定する「導光体の表面状態」とは、導光体表面への患部の配置状態のことを指し、判定部が、導光体表面に適切に患部が配置されているか否かを判定するものである。
【００１６】
以下に、本発明の光照射装置の実施の形態を図面とともに詳細に説明する。なお、実施の形態１では導光体表面の劣化を判定する場合についての構成について説明し、実施の形態２では光治療を行う場合についての構成について説明する。
【００１７】
（実施の形態１）
以下、実施の形態１に係る光照射装置について、図面を参照しながら説明する。実施の形態１では導光体表面の劣化を判定する場合についての構成についての説明である。
【００１８】
≪全体構成について≫
図１は、本発明の実施の形態１に係る光照射装置の外観図であって、図１（ａ）は正面外観図、図１（ｂ）は側面外観図である。
【００１９】
図１に示す光照射装置１は、基板２と、ヒンジ３によりこの基板の表面を開閉自在に覆った蓋体４とにより構成されている。この基板２の表面には、左右２個の光照射部５（５ａ、５ｂ）が配置されている。蓋体４の前面側、つまりヒンジ３とは反対側の左右には、患部を挿入する挿入口６が設けられている。また、蓋体４の外周面の前面側の左右の挿入口６の間には、基板２の係合孔７に係合させて蓋体４を閉めるフック８が設けられている。そして、フック８の上方には、蓋体４を開けるためのフックボタン９が設けられている。蓋体４の表面に備えたタッチパネル式の表示部１０は、各種表示を行うとともに、光照射装置１を操作するための操作部１１を兼ねている。この光照射装置は、電源コード１２を介して、外部の電源から電力が供給される。
【００２０】
≪光照射部５について≫
図２は、光照射部５の構成を示す図であり、図２（ａ）は光照射部５の側断面図、図２（ｂ）は光照射部５の下面図を示している。図２に示すように光照射部５は、導光体１３、複数の光源１４及び検出部１５から構成される。
【００２１】
＜導光体１３＞
導光体１３は基板２上に設けられ、その形状が略半球形状であって、内部が中空になっている。すなわち、導光体１３は中空半球状であり、例えば手の治療を行う場合、この形状にすることで手の曲がり方向に沿うことができ、手を導光体１３表面に配置し易くすることができる。また、導光体１３は、光源１４からの光を導光可能な材質で構成され、導光体１３の厚み（すなわち、図２（ａ）中の患部配置面１６とそれに背向する背向面１７との距離を指す。）は略均一となっている。導光体１３の材質としては、例えばポリエチレンテレフタレート（ＰＥＴ）樹脂、透明アクリル樹脂、透明ガラス、パーフルオロ樹脂等が挙げられる。なお、略半球形状の導光体１３の形状は一例であって、これに限定されるものではなく、例えば平板状、円柱状等が挙げられ、治療する患部に応じてその形状を適宜定めることができる。
【００２２】
＜光源１４＞
光源１４は導光体１３の端部側に配置されており、光源１４から出力された光は主に端面１８を介して導光体１３内部に入射されることになる。光源１４から出力される光は、治療光用及び後述の検出部１５用の光として用いられる。治療光用及び検出部１５用として用いられる光源１４の光は同一の出力としてもよいが、それぞれ異なる出力とする構成であってもよい、また、治療光用と検出部１５用とで光源１４をそれぞれ別途設け、それぞれが異なる波長帯域、出力の光を出力する構成であってもよい。
【００２３】
＜検出部１５＞
検出部１５は、主にフォトダイオードのような光センサ（不図示）と増幅器（不図示）から構成される。この検出部１５は、導光体１３内部に入射した光源１４の光が、その内部で反射を繰り返した後、導光体１３端部側（すなわち、端面１８）から導光体１３外部に出射した光の光量を主に検出するものである。具体的には、光センサで導光体１３外部に出射した一部の光を受光し、電流値に変換するとともに、その電流値を増幅器で電圧値
に変換する。そして、検出部１５は、この電圧値に関する信号（以下、「検出信号」とする。）を後述の判定部２１に出力する。
【００２４】
なお、導光体１３内部に入射した光の外部への不要な出射を抑制し、効率的に患部への照射に用いることとするために、例えば背向面１７の全体、端面１８の全体及び患部配置面１６の端部側の一部に反射膜を設ける場合がある。特に端面１８に反射膜を設けてしまうと、その部分から導光体１３外部へ光が出射されなくなってしまうため、検出部１５で光を受光することができない。そのため、このような場合には、検出部１５の光センサに対応する導光体１３の端面１８部分だけ反射膜を設けない構成にしたり、検出部１５が必要な波長帯域だけを受光できるようにその波長帯域の光を透過するフィルタを設ける構成にしたりする必要がある。
【００２５】
このように構成される光照射部５を用いて、例えば患部として手を治療する場合、左右の手を図３に示すように挿入口６から挿入し、手を導光体１３の患部配置面１６に配置することで行われる。
【００２６】
≪制御ブロックについて≫
図４は、本発明の実施の形態１に係る光照射装置１の概略の機能ブロック図である。
【００２７】
光照射装置１は、操作部１１、光源１４、検出部１５、判定部２１、表示処理部２２、表示部２３及び制御部２４から構成される。
【００２８】
＜操作部１１＞
操作部１１は、各種設定をするものであって、設定した情報を制御部２４に出力する。この各種設定の中には、光の出力や出力時間の設定、或いは、光の照射のＯＮ／ＯＦＦの操作が含まれる。
【００２９】
＜光源１４＞
光源１４は、制御部２４の制御下で主に導光体１３の端面１８からその内部に向けて所定の出力の光を照射する。
【００３０】
上述の通り、光源１４が治療光用と検出部１５用の光とで出力を変える構成とする場合には、光源１４は制御部２４の制御下で治療光用と検出部１５用の出力で、導光体１３内部に光を照射することとなる。また、上述の通り、光源１４が治療光用と検出部１５用とで別途設け、それぞれが異なる波長帯域、出力の光を出力する構成とする場合には、光源１４は、制御部２４の制御下で治療光用と検出部１５用とで用途に応じて光を照射することとなる。
【００３１】
＜検出部１５＞
検出部１５は、上述の通り、制御部２４の制御下で導光体１３の主に端面１８から外部に出射した一部の光を受光し、電流値に変換するとともにその電流値を増幅器で電圧値に変換する。そして、検出部１５は、この電圧値に係る検出信号を判定部２１に出力する。なお、光センサが受光する光は、少なくとも検出部１５用として出力された波長の光である。
【００３２】
＜判定部２１＞
判定部２１は、検出部１５からの検出信号に基づき導光体１３の表面状態を判定する。具体的には、判定部２１が予め所定の閾値を有し、検出信号の値が所定の閾値を満たせば導光体１３の表面が傷、汚れ等により劣化していないと判定し、所定の閾値を満たさなければ劣化していると判定する。
【００３３】
なお、この所定の閾値は、適宜設定することができるが、少なくとも導光体１３が傷、汚れ等により全く劣化していない状態で検出される検出信号の値よりも低い値を設定する必要がある。
【００３４】
＜表示処理部２２＞
表示処理部２２は、各種表示をするものであって、例えば操作部１１の操作ボタンを表示する処理を行う。
【００３５】
また、表示処理部２２は、予め導光体１３表面が劣化していることを示す警告画像を備え、判定部２１からの判定結果に基づく制御部２４からの指示に基づき、表示部２３にその警告画像を表示する処理を行う。すなわち、判定部２１において、導光体１３表面が劣化していると判定された場合の制御部２１からの指示により、予め備えた警告画像を表示部２３に表示させる処理を行う。
【００３６】
なお、ここでは表示処理部２２が警告画像のみを表示する処理を行う構成としているが、警告画像に加え、導光体１３が劣化していないことを示す画像を表示させる処理を行う構成であってもよい。また、逆に導光体１３が劣化していないことを示す画像のみを表示させ、判定部２１で劣化していると判定された場合には制御部２４の指示に基づき、その画像を表示させない処理を行う構成であってもよい。すなわち、使用者に導光体１３表面の劣化をなんらかの方法で理解できる表示であれば特に限定されるものではない。
【００３７】
また、ここでは、使用者に劣化していることを知らせる手段として、表示処理部２２で生成した警告画像を表示部２３に表示させる構成を例示しているが、本発明はこれに限定されるものではない。例えば劣化していると判定した場合に警告灯を点滅させることで知らせる構成であってもよいし、ブザー、音声等による音で知らせる構成であってもよい。すなわち、視覚的或いは聴覚的に使用者に劣化を知らせることができる報知手段であれば、特に限定されるものではない。
【００３８】
＜制御部２４＞
制御部２４は、操作部１１の設定に基づき光照射装置１内の各ブロックを制御し、特に、判定部２１から出力された判定結果からその判定結果に応じた所定の処理を行う。すなわち、制御部２４は、所定の処理として判定部２１から導光体１３表面が劣化しているとの判定結果に基づき報知手段に対してその判定結果を報知させる指示を行う。具体的には、制御部２４が表示処理部２２に対して判定部２１の判定結果を表示部２３に表示させる指示を行う。
【００３９】
≪動作について≫
以上の構成からなる光照射装置１の動作について、使用者の操作も踏まえて図５のフロー図を用いて説明する。
【００４０】
＜ステップ１（Ｓ００１）＞
ステップ１（Ｓ００１）では、使用者が操作部１１を用いて患部に照射する光の出力、照射時間等の各種設定を行った上で、光源１４から光の出力をＯＮとする操作を行う。
【００４１】
＜ステップ２（Ｓ００２）＞
ステップ２（Ｓ００２）では、ステップ１（Ｓ００１）の設定に基づき、制御部２４の制御下で光源１４から所定の出力の光が照射される。これにより、光源１４から出力された光が導光体１３内部に入射されることとなる。
【００４２】
＜ステップ３（Ｓ００３）＞
ステップ３（Ｓ００３）では、検出部１５（光センサ）が、導光体１３内部に入射し、その内部で反射を繰り返した後、端面１８から導光体１３外部に出射した光を受光し、その受光した光に基づき生成した検出信号を判定部２１に出力する。
【００４３】
ここで、導光体１３内部に入射した光源１４の光の進路について図６を用いて説明する。なお、図６における破線矢印は光源１４の光の進路を示し、説明を容易とするため図６では主光軸（光源１４の光の最高光度を示す光）のみを示している。また、一例として、導光体１３の材質をＰＥＴ樹脂（屈折率１．６６）とした場合で説明する。
【００４４】
導光体１３に入射した光は図６に示すように、まず、患部配置面１６に到達する。そして、光源１４の光が患部配置面１６に到達した位置において、導光体１３と外部（例えば空気（屈折率１．００））との界面で形成される臨界角（３７．０４°）よりも小さい入射角度で到達した光は外部に出射する（図６中に不図示）。一方、臨界角よりも大きい入射角度で到達した光は、その界面で反射することになる。そして、界面で反射した光は、同様に臨界角との関係でその後反射を繰り返した光が端面１８から外部へ出射し、その光を検出部１５が受光することとなる。従って、導光体１８の表面状態に変化がない限り、基本的には検出部１５が受信する光量は一定である。
【００４５】
＜ステップ４（Ｓ００４）＞
ステップ４（Ｓ００４）では、判定部２１が、検出部１５からの検出信号に基づき、予め備えた閾値と比較し、導光体１３表面の劣化状態を判定する。すなわち、所定の閾値以上であれば導光体１３表面は劣化していないと判定し、所定の閾値未満であれば導光体１３表面は劣化していると判定する。
【００４６】
このように判定する理由を、図７を用いて説明する。図７（ａ）は導光体１３表面が劣化していない状態、図７（ｂ）は導光体１３表面に傷がある状態、図７（ｃ）は導光体１３表面が皮脂で汚れている状態、における導光体１３内部の光の進行状態（図７中の破線矢印）を示している。
【００４７】
まず、図７（ａ）に示す場合、上述の通り、臨界角より大きな角度で導光体１３と外部とで形成される界面に光が到達すると、臨界角より大きい角度で入射した光は外部に出射することなく、導光体１３内部に反射されることとなる。
【００４８】
一方、図７（ｂ）に示す場合、導光体１３内部の光が傷３１部分に到達すると、その到達した傷３１部分と外部とで形成される界面に到達した入射角に応じて、光が外部へ出射することとなる。すなわち、導光体１３に傷３１ができると、図７（ａ）の場合と比較して、導光体１３と外部とで形成される界面に対する光の入射角が変化するため、導光体１３外部に出射し易くなるか、出射しなかったとしても導光体１３内部の光の進行方向が変化することとなる。
【００４９】
さらに、図７（ｃ）に示す場合、一般的に皮脂は屈折率が約１．５であるため、皮脂とＰＥＴ樹脂とで構成される臨界角は６４．６４°である。従って、皮脂３２部分に到達した光はのうち、臨界角（６４．６４°）よりも小さい入射角度で到達した光は皮脂３２部分に出射することとなる。すなわち、図７（ａ）に示す構成と比較すると、導光体１３表面の皮脂３２により、その部分の臨界角が大きくなるため、光が皮脂３２部分に漏れやすくなる。そして、皮脂３２部分に漏れ出した光は、皮脂３２と外部（空気）との界面に対する入射角に応じて外部（空気）へ出射することとなる。
【００５０】
以上のように、図７（ｂ）及び図７（ｃ）で例示したように、導光体１３表面に傷や汚
れにより劣化していれば、導光体１３内部の光が漏れやすくなるため、検出部１５に到達する光がそれに応じて減少することとなる。これにより、上述の閾値処理を行うことで、導光体１３表面の劣化状態を判定することができる。
【００５１】
そして、判定部２１が、導光体１３表面が劣化していないと判定すれば（図５中の「Ｙｅｓ」）ステップ５（Ｓ００５）へ移行し、劣化していると判定すれば（図５中の「Ｎｏ」）ステップ７（Ｓ００７）へ移行する。
【００５２】
＜ステップ５（Ｓ００５）＞
ステップ５（Ｓ００５）では、ステップ４（Ｓ００４）で導光体１３表面が劣化していないと判定されているので、患者は、例えば患部として手を挿入口６に挿入し、導光体１３の患部配置面１６に配置する。
【００５３】
＜ステップ６（Ｓ００６）＞
ステップ６（Ｓ００６）では、ステップ５（Ｓ００５）で患部配置面１６に配置した手に対し、その接触部分に導光体１３内部に入射した光源１４の光が供給され、光治療が実施されることとなる。
【００５４】
＜ステップ７（Ｓ００７）＞
ステップ７（Ｓ００７）では、制御部２４が、ステップ４（Ｓ００４）の判定部２１の導光体１３表面が劣化しているとの判定結果に基づき、表示処理部２２に対して予め備えた警告画像を表示部２３に表示させる指示を行う。これにより、表示処理部２２は表示部２３に警告画像を表示させ、使用者は、導光体１３表面が劣化していることを知ることができる。この場合、使用者は、導光体１３表面の汚れを取り除き、再度ステップ１（Ｓ００１）に戻り、同様のステップを行うこととなる。なお、導光体１３表面の汚れを取り除いても導光体１３表面が劣化していると判定される場合は、導光体１３自体が傷等で交換を要するか、光源１４自体が所定の光量を出力できなくなっているか等で交換を要するかであるため、使用者は導光体１３もしくは光源１４を新しいものに取替えた後に同様のステップを繰り返すこととなる。
【００５５】
（実施の形態２）
以下、実施の形態２に係る光照射装置について、図面を参照しながら説明する。実施の形態２では光治療を行う場合についての構成について説明する。
【００５６】
実施の形態２では、実際の光治療において、導光体１３に患部が配置されていない状態で、導光体１３内部に光源１４からの光が供給されている場合、患部以外の箇所に不要な光が照射されることがあるので、それを抑制する構成について説明する。
【００５７】
なお、図１及び２は実施の形態１と同様の構成であるため説明を省略する。
【００５８】
≪制御ブロックについて≫
実施の形態２に係る光照射装置１の制御ブロックは図４と同様であるが、各ブロックの機能が異なる。光照射装置１は、操作部１１、光源１４、検出部１５、判定部２１、表示処理部２２、表示部２３及び制御部２４から構成される。
【００５９】
＜光源１４＞
光源１４は、制御部２４の制御下で主に導光体１３の端面１８からその内部に向けて所定の出力の治療光を照射する。光源１４から出力される光は、治療光用と検出部１５用として用いられ、治療光用と検出部１５用とで同一の光源を用いてもよいし、治療光用と検出部１５用とで別途設け、それぞれが異なる波長帯域、出力の光を出力する構成としても
よい。
【００６０】
＜検出部１５＞
検出部１５は、制御部２４の制御下で導光体１３の主に端面１８から外部に出射した一部の光を受光し、電流値に変換するとともにその電流値を増幅器で電圧値に変換する。そして、検出部１５は、この電圧値に係る検出信号を判定部２１に出力する。なお、光センサが受光する光は、少なくとも検出部１５用として出力された波長の光である。
【００６１】
＜判定部２１＞
判定部２１は、検出部１５からの検出信号に基づき、導光体１３の表面状態を判定する。すなわち、導光体１３の患部配置面１６に患部が配置されているか否かを判定する。具体的には、判定部２１が予め所定の閾値を有し、検出信号の値が所定の閾値を満たせば導光体１３の表面に患部が配置されていないと判定し、所定の閾値を満たさなければ患部が配置されていると判定する。
【００６２】
なお、この所定の閾値は、適宜設定することができるが、少なくとも導光体１３が傷、汚れ等により全く劣化していない状態で検出される検出信号の値よりも低い値を設定する必要がある。好ましくは、患部配置面１６に患部が配置されることにより、検出部１５で検出される検出信号の減少分を考慮して設定した値であることが望ましい。
【００６３】
＜表示処理部２２＞
表示処理部２２は、各種表示をするものであって、例えば操作部１１の操作ボタンを表示する処理を行う。
【００６４】
＜制御部２４＞
制御部２４は、操作部１１に設定に基づき、光照射装置１内の各ブロックを制御する。特に、判定部２１から出力された判定結果から、その判定結果に応じた所定の処理を行う。すなわち、所定の処理として、制御部２４は、判定部２１から導光体１３表面に患部が配置されていないと判定した場合には、光源１４に対して出力されている光の照射を停止させる、或いは、出力を減ずる指示を行う。そして、所定の処理後（光の照射の停止或いは減する処理後）に判定部２１において導光体１３表面に患部が配置されたと判定されれば、もとの出力の光を照射させる処理を行う。
【００６５】
なお、光治療用と検出部１５用との光源が同一であって、判定部２１から導光体１３表面に患部が配置されていないと判定した場合に制御部２２が光源１４に対して出力されている光の照射を停止させる場合には、その停止後の所定の間隔で検出部１５用の光を出力させる。これにより、停止後に導光体１３表面に患部が配置された場合であっても、判定部２１でその要否を判定することができる。
【００６６】
また、光治療用と検出部１５用との光源１４をそれぞれ別に設け、両者が異なる波長の光を出力する場合にあっては、判定部２１から導光体１３表面に患部が配置されていないと判定した場合には、制御部２４は、光治療用の光源１４のみに所定の処理（光の照射の停止或いは出力を減ずる処理）を行い、検出部１５用の光源は、操作部１１で出力がＯＮとされている限り、連続的或いは所定の間隔で光を出力させる処理を行う。
【００６７】
≪動作について≫
以上の構成からなる光照射装置１の動作について、使用者の操作も踏まえて図８のフロー図を用いて説明する。なお、ここでは、光治療用と検出部１５用との光源が同一であって、判定部２１から導光体１３表面に患部が配置されていないと判定した場合に制御部２２が光源１４に対して出力されている光の照射を停止させる構成で説明を行う。
【００６８】
＜ステップ１（Ｓ０１１）＞
ステップ１（Ｓ０１１）では、使用者が操作部１１を用いて患部に照射する光の出力、照射時間等の各種設定を行った上で、光源１４から光の出力をＯＮとする操作を行う。そして、患者は導光体１３表面の患部配置面１６に患部を配置する。
【００６９】
＜ステップ２（Ｓ０１２）＞
ステップ２（Ｓ０１２）では、ステップ１（Ｓ０１１）の設定に基づき、制御部２４の制御下で光源１４から所定の出力の光が照射する。これにより、光源１４から出力された光が導光体１３内部に入射されることとなる。
【００７０】
＜ステップ３（Ｓ０１３）＞
ステップ３（Ｓ００３）では、検出部１５（光センサ）が、導光体１３内部に入射し、その内部で反射を繰り返した後、端面１８から導光体１３外部に出射した光を受光し、その受光した光に基づき生成した検出信号を判定部２１に出力する。
【００７１】
＜ステップ４（Ｓ０１４）＞
ステップ４（Ｓ０１４）では、判定部２１が、検出部１５からの検出信号に基づき、予め備えた閾値と比較し、導光体１３表面に患部が配置されているか否かを判定する。すなわち、所定の閾値以上であれば導光体１３表面に患部が配置されていないと判定し、所定の閾値未満であれば患部が配置されていると判定する。
【００７２】
このように判定する理由は、導光体１３表面に患部が配置されている場合、導光体１３表面に接触した患部に向けて導光体１３内部の光が供給されるため、導光体１３表面に患部が配置されていない場合と比較して、検出部１５で受光する光量が少なくなる。そのため、上述の閾値処理を行うことで、導光体１３表面に患部が配置されているか否かを判定することができる。
【００７３】
そして、判定部２１が、導光体１３表面に患部が配置されていると判定すれば（図８中の「Ｙｅｓ」）ステップ５（Ｓ０１５）へ移行し、配置されていないと判定すれば（図８中の「Ｎｏ」）ステップ６（Ｓ０１６）へ移行する。
【００７４】
＜ステップ５（Ｓ０１５）＞
ステップ５（Ｓ０１５）では、ステップ４（Ｓ０１４）で導光体１３表面に患部が配置されていると判定されているので（すなわち、患者は適切に患部配置面１６に患部を配置している状態）、光源１４が導光体１３内部へ光を供給し、導光体１３を介して患部への光が供給され光治療が行われることとなる。そして、再度ステップ２（Ｓ０１２）へ戻り、ステップ２（Ｓ０１２）〜ステップ５（Ｓ０１５）のステップを繰り返すこととなる。すなわち、導光体１３表面に患部が適切に配置されている限り、ステップ２（Ｓ０１２）〜ステップ５（Ｓ０１５）を繰り返して継続して光治療が行われることとなる。
【００７５】
＜ステップ６（Ｓ０１６）＞
ステップ６（Ｓ０１６）では、制御部２４が、ステップ４（Ｓ０１４）の判定部２１の導光体１３表面に患部が配置されていないとの判定結果に基づき、光源１４に対して光の照射の停止を指示する。
【００７６】
＜ステップ７（Ｓ０１７）＞
ステップ７（Ｓ０１７）では、制御部２４が、光源１４からの光の照射の停止後に、所定の間隔で光源１４から光を照射する指示を行う。これにより、光源１４は、例えばパルス状の光を照射することとなる。
【００７７】
その後、ステップ３（Ｓ０１３）に戻り、検出部１５が所定の間隔で出力された光源１４の光を受光し、ステップ４（Ｓ０１４）で判定部２１が導光体１４表面に患部が配置されているか否かを判定することとなる。そして、依然としてステップ４（Ｓ０１４）で導光体１４表面に患部が配置されていないと判定されれば、ステップ３（Ｓ０１３）、ステップ４（Ｓ０１４）、ステップ６（Ｓ０１６）及びステップ７（Ｓ０１７）を繰返す。一方、ステップ４（Ｓ０１４）で導光体１４表面に患部が配置されていると判定されれば、ステップ５（Ｓ０１５）において、制御部２４の制御の下、光源１４の光を光治療を行う所定の出力に戻し、光治療が行われることとなる。
【００７８】
≪まとめ≫
以上の通り、本発明の光照射装置によれば、実施の形態１及び２で本発明の実施の形態の一態様に係る光照射装置で説明したように、使用者に不必要な光を照射することを抑制することができる。
【産業上の利用可能性】
【００７９】
本発明の光照射装置によれば、上記構成とすることで、使用者に不必要な光を照射することを抑制することができる。
【符号の説明】
【００８０】
１  光照射装置
２  基板
３  ヒンジ
４  蓋体
５、５ａ、５ｂ  光照射部
６  挿入口
７  係合孔
８  フック
９  フックボタン
１０  表示部
１１  操作部
１２  電源コード
１３  導光体
１４  光源
１５  検出部
１６  患部配置面
１７  背向面
１８  端面
２１  判定部
２２  表示処理部
２３  表示部
２４  制御部
３１  傷
３２  皮脂
【図１】
2014200344.tif 000003
【図２】
2014200344.tif 000004
【図３】
2014200344.tif 000005
【図４】
2014200344.tif 000006
【図５】
2014200344.tif 000007
【図６】
2014200344.tif 000008
【図７】
2014200344.tif 000009
【図８】
2014200344.tif 000010